(57)【要約】【課題】本発明は、端子を離脱させる作業の効率が向上されたコネクタを提供する。【解決手段】コネクタ１０は、端子１２が貫通されるフード部１１と、フード部１１のうち端子１２が貫通される貫通方向の後部に着脱されるものであって、端子１２を係止するランス２３を備えると共に、ランス２３に対応する位置から貫通方向の前方に開口されて端子１２とランス２３との係止を解除する解除治具２６が挿入される治具挿入口２５が形成された端子収容部１３と、フード部１１から貫通方向の後方に延びて形成されて、端子収容部１３が貫通方向の後方に移動するのをガイドする後方ガイド部と、後方ガイド部に連なると共に貫通方向と交差する交差方向に延びて形成されて、端子収容部１３が交差方向に移動するのをガイドする交差ガイド部と、を備える。【選択図】図１１
2014044801.tif 000002
【特許請求の範囲】
【請求項１】
端子が貫通されるフード部と、
前記フード部のうち前記端子が貫通される貫通方向の後部に着脱されるものであって、前記端子を係止するランスを備えると共に、前記ランスに対応する位置から前記貫通方向の前方に開口されて前記端子と前記ランスとの係止を解除する解除治具が挿入される治具挿入口が形成された端子収容部と、
前記フード部から前記貫通方向の後方に延びて形成されて、前記端子収容部が前記貫通方向の後方に移動するのをガイドする後方ガイド部と、
前記後方ガイド部に連なると共に前記貫通方向と交差する交差方向に延びて形成されて、前記端子収容部が前記交差方向に移動するのをガイドする交差ガイド部と、
を備えたコネクタ。
【請求項２】
前記端子収容部及び前記交差ガイド部の少なくとも一方には、前記解除治具によって前記端子と前記ランスとの係止を解除する解除作業を行う解除位置で、前記端子収容部と前記フード部とを保持する解除位置保持部が設けられている請求項１に記載のコネクタ。
【請求項３】
前記フード部には前記貫通方向の後方に延びるガイド壁が設けられており、
前記後方ガイド部は前記ガイド壁に前記貫通方向の後方に延びる溝状に形成されており、前記端子収容部には前記後方ガイド部内に嵌入する後方ガイド突部が突出されている請求項１または請求項２に記載のコネクタ。
【請求項４】
前記フード部には前記貫通方向の後方に延びるガイド壁が設けられており、
前記交差ガイド部は前記ガイド壁に前記交差方向に延びる溝状に形成されており、前記端子収容部には前記交差ガイド部内に嵌入する交差ガイド突部が突出されている請求項１ないし請求項３のいずれか一項に記載のコネクタ。
【請求項５】
前記交差ガイド部は前記貫通方向に直交する方向に延びて形成されている請求項１ないし請求項４のいずれか一項に記載のコネクタ。
【請求項６】
前記端子収容部又は前記フード部には、前記端子収容部に前記端子を係止する係止作業を行う仮係止位置で前記端子収容部と前記フード部とを保持する仮係止部が設けられており、
前記端子収容部又は前記フード部には、前記端子収容部と前記フード部とを本係止位置で保持する本係止部が設けられている請求項１ないし請求項５のいずれか一項に記載のコネクタ。
【請求項７】
前記仮係止部と、前記本係止部とは、前記貫通方向と交差する方向についてずれた位置に設けられている請求項６に記載のコネクタ。
【請求項８】
前記仮係止部は、前記後方ガイド部に設けられている請求項６または請求項７に記載のコネクタ。
【発明の詳細な説明】
【技術分野】
【０００１】
本発明は、フード部を備えたコネクタに関する。
【背景技術】
【０００２】
従来、フード部の内部に端子が配されたコネクタとして特許文献１に記載のものが知られている。このコネクタは、相手側コネクタと嵌合可能なフード部を備えたコネクタハウジングと、コネクタハウジングに形成されたランスに係止されて、フード部の内部に突出する端子と、を備える。
【先行技術文献】
【特許文献】
【０００３】
【特許文献１】特開平７−６５８９０号公報
【発明の概要】
【発明が解決しようとする課題】
【０００４】
上記の構成において、コネクタハウジングから端子を離脱させる際には、まず、フード部から、端子とランスとの係止を解除するための解除治具を挿入して、この解除治具をランスに係合させる。次いで、解除治具によってランスを撓み変形させて、ランスと端子との係止を解除する。
【０００５】
しかしながら上記の構成によると、フード部の奥壁の更に奥に位置するランスに係合させるためには、解除治具をフード部の内部に挿入しなければならない。このため、端子とランスとの係止を解除する解除作業を実行する際には、解除治具がフード部に干渉しないようにしなければならないため、非常に煩わしいものとなっていた。
【０００６】
本発明は上記のような事情に基づいて完成されたものであって、端子を離脱させる作業の効率が向上されたコネクタを提供することを目的とする。
【課題を解決するための手段】
【０００７】
本発明は、コネクタであって、端子が貫通されるフード部と、前記フード部のうち前記端子が貫通される貫通方向の後部に着脱されるものであって、前記端子を係止するランスを備えると共に、前記ランスに対応する位置から前記貫通方向の前方に開口されて前記端子と前記ランスとの係止を解除する解除治具が挿入される治具挿入口が形成された端子収容部と、前記フード部から前記貫通方向の後方に延びて形成されて、前記端子収容部が前記貫通方向の後方に移動するのをガイドする後方ガイド部と、前記後方ガイド部に連なると共に前記貫通方向と交差する交差方向に延びて形成されて、前記端子収容部が前記交差方向に移動するのをガイドする交差ガイド部と、を備える。
【０００８】
本発明によれば、端子収容部を後方ガイド部に沿って、貫通方向の後方に移動させた後、交差ガイド部に沿って貫通方向と交差する方向に移動させることにより、端子収容部の治具挿入口を、フード部に対して、貫通方向についてオフセットされた位置に配することができる。これにより、解除治具がフード部に干渉することを抑制できるので、治具挿入口から容易に解除治具を挿入して、ランスと端子との係止を解除させることができる。この結果、端子をコネクタから離脱させる作業の効率を向上させることができる。
【０００９】
本発明の実施態様としては以下の態様が好ましい。前記端子収容部及び前記交差ガイド部の少なくとも一方には、前記解除治具によって前記端子と前記ランスとの係止を解除する解除作業を行う解除位置で、前記端子収容部と前記フード部とを保持する解除位置保持部が設けられていることが好ましい。
【００１０】
上記の態様によれば、端子収容部とフード部とが解除位置に保持された状態で、端子とランスとの解除作業を行うことができる。これにより、解除作業の効率を向上させることができる。
【００１１】
前記フード部には前記貫通方向の後方に延びるガイド壁が設けられており、前記後方ガイド部は前記ガイド壁に前記貫通方向の後方に延びる溝状に形成されており、前記端子収容部には前記後方ガイド部内に嵌入する後方ガイド突部が突出されていることが好ましい。
【００１２】
上記の態様によれば、溝状に形成された後方ガイド部の内部に後方ガイド突部が嵌入するという簡易な構成により、端子収容部を貫通方向の後方にガイドすることができる。
【００１３】
前記フード部には前記貫通方向の後方に延びるガイド壁が設けられており、前記交差ガイド部は前記ガイド壁に前記交差方向に延びる溝状に形成されており、前記端子収容部には前記交差ガイド部内に嵌入する交差ガイド突部が突出されていることが好ましい。
【００１４】
上記の態様によれば、溝状に形成された交差ガイド部の内部に交差ガイド突部が嵌入するという簡易な構成により、端子収容部を貫通方向と交差する方向にガイドすることができる。
【００１５】
前記交差ガイド部は前記貫通方向に直交する方向に延びて形成されていることが好ましい。
【００１６】
上記の態様によれば、交差ガイド部を貫通方向について傾斜した方向に延びて形成する場合に比べて、貫通方向についてコネクタを全体として小型化することができる。
【００１７】
前記端子収容部又は前記フード部には、前記端子収容部に前記端子を係止する係止作業を行う仮係止位置で前記端子収容部と前記フード部とを保持する仮係止部が設けられており、前記端子収容部又は前記フード部には、前記端子収容部と前記フード部とを本係止位置で保持する本係止部が設けられていることが好ましい。
【００１８】
上記の態様によれば、端子の端子収容部への係止作業を行う作業現場に、端子収容部とフード部とを仮係止した状態で移送することができる。これにより、端子収容部とフード部とが別体の状態で係止作業の作業現場に移送される場合に比べて、移送コストを削減することができる。
【００１９】
前記仮係止部と、前記本係止部とは、前記貫通方向と交差する方向についてずれた位置に設けられていることが好ましい。
【００２０】
本係止部と仮係止部とが貫通方向について並んで設けられている場合、本係止部における端子収容部とフード部との係止を解除して端子収容部を貫通方向の後方に移動させた際に、誤って仮係止部における端子収容部とフード部との仮係止をも解除してしまうおそれがある。すると、フード部から端子が引き抜かれるときに、貫通方向に対して端子収容部が斜めに引き抜かれることによって端子収容部とフード部とが相対的に傾いた姿勢になってしまい、端子がフード部と干渉することが懸念される。すると、端子が変形する等の不具合が発生することが懸念される。
【００２１】
上記の点に鑑み、本態様においては、仮係止部と本係止部とは、貫通方向と交差する方向についてずれた位置に設けられている。これにより、本係止部における端子収容部とフード部との係止を解除して端子収容部を貫通方向の後方に移動させる際に、仮係止部によって、端子収容部を仮係止位置に確実に保持することができる。この結果、端子収容部とフード部との本係止が解除された後、端子収容部を貫通方向に対してまっすく後方に引き抜いて確実に仮係止位置に保持し、その後、仮係止部の仮係止を解除して、さらに貫通方向に対してまっすぐ後方に引く抜くことができる。これにより、貫通方向に対して、端子収容部とフード部とが相対的に傾いた姿勢をとることを抑制できるので、端子が変形することを抑制することができる。
【００２２】
前記仮係止部は、前記後方ガイド部に設けられていることが好ましい。
【００２３】
上記の構成によれば、本係止部における端子収容部とフード部との係止を解除して端子収容部を貫通方向の後方に移動させた際に、端子収容部を確実に仮係止位置に保持することができる。これにより、端子収容部を貫通方向の後方に引き抜く際に、端子とフード部とが干渉することを抑制できるので、端子が変形することを確実に抑制することができる。
【発明の効果】
【００２４】
本発明によれば、端子をコネクタから離脱させる作業の効率を向上させることができる。
【図面の簡単な説明】
【００２５】
【図１】図１は本発明の実施形態１に係るコネクタを示す側断面図である。
【図２】図２はコネクタを示す平面図である。
【図３】図３はコネクタを示す平面図である。
【図４】図４はフード部を示す断面図である。
【図５】図５は端子収容部を示す平面図である。
【図６】図６は本係止位置における端子収容部とフード部との相対的な配置を示す断面図である。
【図７】図７は仮係止位置における端子収容部とフード部との相対的な配置を示す断面図である。
【図８】図８は仮係止位置における端子収容部とフード部との相対的な配置を示す断面図である。
【図９】図９はフード部から端子収容部を後方へ引き抜いた状態を示す断面図である。
【図１０】図１０はフード部から端子収容部を後方へ引き抜いた状態を示す断面図である。
【図１１】図１１は解除位置における端子収容部とフード部との相対的な配置を示す断面図である。
【図１２】図１２は解除位置における端子収容部とフード部との相対的な配置を示す断面図である。
【図１３】図１３は本発明の実施形態２に係るコネクタを示す平面図である。
【図１４】図１４はコネクタを示す断面図である。
【図１５】図１５はフード部を示す断面図である。
【図１６】図１６は本係止位置における端子収容部とフード部との相対的な配置を示す断面図である。
【図１７】図１７は仮係止位置における端子収容部とフード部との相対的な配置を示す断面図である。
【図１８】図１８は仮係止位置における端子収容部とフード部との相対的な配置を示す断面図である。
【図１９】図１９はフード部から端子収容部を後方へ引き抜いた状態を示す断面図である。
【図２０】図２０はフード部から端子収容部を後方へ引き抜いた状態を示す断面図である。
【図２１】図２１は解除位置における端子収容部とフード部との相対的な配置を示す断面図である。
【図２２】図２２は解除位置における端子収容部とフード部との相対的な配置を示す断面図である。
【発明を実施するための形態】
【００２６】
＜実施形態１＞
本発明の実施形態１を、図１ないし図１２を参照しつつ説明する。本実施形態に係るコネクタ１０は、フード部１１と、このフード部１１とは別部材であって、フード部１１に着脱可能に取り付けられると共に端子１２が収容される端子収容部１３と、を備える。以下の説明においては、図１における右方を前方とし、左方を後方とする。また、図１における上方を上方とし、下方を下方とする。また、図２における上方を左方とし、下方を右方とする。
【００２７】
（フード部１１）
図１に示すように、フード部１１は合成樹脂製であって、前方に開口されている。フード部１１内には図示しない相手側コネクタが嵌合されるようになっている。フード部１１の後壁１９には、端子１２の雄タブ１４が前後方向に貫通されている。本実施形態においては、端子１２の雄タブ１４がフード部１１の後壁１９を貫通する貫通方向が、上記した前後方向となっている。後壁１９には雄タブ１４が貫通された貫通孔１５の孔縁部に、前方に突出する立設壁１６が形成されている。立設壁１６は貫通孔１５の孔縁部を全周に亘って包囲するように形成されている。
【００２８】
後壁１９の後面には、シール溝１７が形成されている。シール溝１７の内部には弾性変形可能な材料により形成されたシール部材１８が収容されている。シール部材１８としては、天然ゴム、合成ゴム、シリコーンゴム等、必要に応じて任意の材料を選択できる。
【００２９】
（端子収容部１３）
フード部１１の後部には、合成樹脂製の端子収容部１３が着脱可能に取り付けられている。フード部１１の後端部には、上下両端部から後方に延びる一対の本係止部２０が形成されている。本係止部２０は上下方向に弾性変形可能に形成されている。端子収容部１３の上壁及び下壁には、本係止部２０と係止することにより端子収容部１３とフード部１１とを本係止位置に保持する本係止受け部２１が、突設されている。本係止受け部２１が前方から本係止部２０に当接することにより、端子収容部１３が後方に移動することが抑制されるようになっている。
【００３０】
端子収容部１３には複数のキャビティ２２が前後方向に延びて形成されている。キャビティ２２は、上下に複数段（本実施形態では２段）に並ぶと共に左右方向に複数（本実施形態では４つ）並んで形成されている（図２参照）。キャビティ２２内には、端子１２が収容されている。キャビティ２２の内壁には、内方に突出するランス２３が形成されている。ランス２３は図１における斜め下方に延びて形成されている。ランス２３の上方の空間はランス２３が弾性変形する撓み空間２４とされる。
【００３１】
端子収容部１３の前端部には、ランス２３の前方の位置に、前方に開口する治具挿入口２５が形成されている。この治具挿入口２５の内部に解除治具２６が挿入されてランス２３に当接し、ランス２３を弾性変形させることによってランス２３と端子１２との係止が解除されるようになっている。
【００３２】
図１に示すように、端子収容部１３の前端部には、シール溝１７の内部に後方から進入して、シール部材１８に後方から密着するシール突部２７が前方に突出して形成されている。シール突部２７の前端部がシール部材１８に密着することにより、フード部１１と端子収容部１３との間がシールされるようになっている。シール突部２７は各キャビティ２２の前側の開口縁を全周に亘って包囲するように形成されている。一方、フード部１１に形成されたシール溝１７は、端子収容部１３に形成されたキャビティ２２の前側の開口縁を全周に亘って包囲するように形成されている。これにより、各キャビティ２２は、シール突部２７とシール部材１８とが密着することにより、個別にシールされるようになっている。
【００３３】
端子収容部１３とフード部１１とが本係止位置に保持された状態では、端子収容部１３の撓み空間２４には、フード部１１の後壁１９から後方に突出して形成されたリテーナ部２８が位置するようになっている。リテーナ部２８が撓み空間２４内に位置することにより、ランス２３が撓み空間２４内に弾性変形することが抑制されるようになっている。
【００３４】
（端子１２）
端子１２は金属板材をプレス加工により所定の形状に成形してなる。端子１２に用いられる金属材料としては、銅、銅合金、アルミニウム、アルミニウム合金、鉄、鉄合金等、必要に応じて任意の材料を用いることができる。端子１２の表面には図示しないメッキ層を形成してもよい。メッキ層を形成する金属としては、スズ、はんだ、銀等、必要に応じて任意の金属を用いることができる。
【００３５】
端子１２の後端には電線２９が接続されている。電線２９は金属製の芯線３０の外周を絶縁被覆３１で包囲してなる。芯線３０を構成する金属としては、銅、銅合金、アルミニウム、アルミニウム合金、鉄、鉄合金、銀、金等、必要に応じて任意の金属を選択できる。端子１２は、電線２９の端末から露出された芯線３０の外周に圧着されるワイヤーバレル部３２を備える。ワイヤーバレル部３２の後方には、ワイヤーバレル部３２から後方に延出されたインシュレーションバレル部３３が形成されている。電線２９の絶縁被覆３１の外周にはゴム栓３４が外嵌されており、インシュレーションバレル部３３は、ゴム栓３４の外側から、ゴム栓３４と共に電線２９の絶縁被覆３１に圧着されている。ゴム栓３４の外周は、キャビティ２２に内周面と密着しており、これにより、ゴム栓３４と端子収容部１３との間がシールされている。
【００３６】
ワイヤーバレル部３２の前方には、ワイヤーバレル部３２から延びる角筒状の筒部３５が形成されている。筒部３５の上壁には係止孔３６が開孔されている。係止孔３６の孔縁には、ランス２３先端が後方から当接するようになっている。このようにランス２３の先端が係止孔３６の孔縁に後方から係止することにより、端子１２が後方へ移動することが抑制されるようになっている。上記したように、端子収容部１３とフード部１１とが本係止位置に保持された状態では、端子収容部１３の撓み空間２４には、フード部１１の後壁１９から後方に突出して形成されたリテーナ部２８が位置するようになっている。これにより、端子１２は、ランス２３とリテーナ部２８とによって二重係止されている。
【００３７】
筒部３５の下面には下方に突出する前止まり部３７が形成されている。この前止まり部３７は、キャビティ２２の前端部寄りの位置において、キャビティ２２の底壁から上方に突出された前止まり壁３８に後方から当接するようになっている。これにより、端子１２が前方に移動することが抑制されるようになっている。
【００３８】
筒部３５の前端部からは、上記した雄タブ１４が前方に延びて形成されている。雄タブ１４は、フード部１１の後壁１９に形成された貫通孔１５に挿通されてフード部１１の内部に突出するようになっている。
【００３９】
（ガイド構造）
図２に示すように、フード部１１の後端部には、左右両端部から後方に延びる一対のガイド壁３９，３９が形成されている。各ガイド壁３９は、図３に示すように、側方から見て略Ｌ字状に屈曲した形状をなしている。すなわち、ガイド壁３９は、フード部１１の後端部から後方に延びると共に、フード部１１の後端部において下方に延びて形成されている。
【００４０】
図１に示すように、端子収容部１３がフード部１１に対して本係止位置に保持された状態で、ガイド壁３９の後端縁は、端子収容部１３の後端縁と略面一に形成されている。このガイド壁３９により、端子収容部１３が異物と衝突することが、抑制されるようになっている。
【００４１】
図４に示すように、ガイド壁３９の内面（ガイド壁３９のうち左右方向について内側に位置する面）には、ガイド壁３９の前端部から後方に延びる溝状をなす第１後方ガイド部４０（後方ガイド部に相当）が形成されている。更に、ガイド壁３９の内面には、この第１後方ガイド部４０の下方の位置に間隔を空けて、第１後方ガイド部４０と平行に延びる溝状をなす第２後方ガイド部４１（後方ガイド部に相当）が形成されている。第１後方ガイド部４０、及び第２後方ガイド部４１の後端部は、ガイド壁３９の後端縁に開口しており、後述する仮係止突起（後方ガイド突部、及び交差ガイド突部に相当）４２、及びガイドピン（後方ガイド突部、及び交差ガイド突部に相当）４３を、それぞれ第１後方ガイド部４０、及び第２後方ガイド部４１の内部に誘導する誘い込み部４８とされている。
【００４２】
また、ガイド壁３９の後端部寄りの位置には、上下方向に延びる溝状をなす第１交差ガイド部４４（交差ガイド部に相当）と、この第１交差ガイド部４４の後方の位置に第１交差ガイド部４４と間隔を空けて平行に延びる第２交差ガイド部４５（交差ガイド部に相当）と、が形成されている。本実施形態においては、第１交差ガイド部４４、及び第２交差ガイド部４５は、前後方向に対して直交する方向に延びて形成されている。第１交差ガイド部４４の上端部は、上記した第１後方ガイド部４０、及び第２後方ガイド部４１と交差している。同様に、第２交差ガイド部４５の上端部は、上記した第１後方ガイド部４０、及び第２後方ガイド部４１と交差している。
【００４３】
図５に示すように、端子収容部１３の左右両側面には、前端部寄りの位置に、一対の仮係止突起４２，４２が突出されている。仮係止突起４２は側方から見て略長方形状をなしている。仮係止突起４２の前側に位置する２つの角部は、面取りされている。一方、仮係止突起４２の後ろ側の端縁は上下方向について切り立った形状になっている。
【００４４】
図５に示すように、端子収容部１３の左右両側面には、仮係止突起４２の後方であって、且つ下方の位置に、一対のガイドピン４３が突出されている。換言すると、仮係止突起４２とガイドピン４３とは、前後方向についてオフセットされた位置に配されている。ガイドピン４３は側方から見て円形状をなしている。仮係止突起４２とガイドピン４３との上下方向の間隔と、第１後方ガイド部４０と第２後方ガイド部４１との上下方向の間隔とは、仮係止突起４２が第１後方ガイド部４０内に嵌入すると共にガイドピン４３が第２後方ガイド部４１内に嵌入するように設定されている。また、仮係止突起４２とガイドピン４３との前後方向の間隔と、第１交差ガイド部４４と第２交差ガイド部４５との前後方向の間隔とは、仮係止突起４２が第１交差ガイド部４４内に嵌入すると共にガイドピン４３が第２交差ガイド部４５内に嵌入するように設定されている。
【００４５】
図６に示すように、端子収容部１３とフード部１１とが本係止位置に保持された状態では、仮係止突起４２は第１後方ガイド部４０の内部に嵌入されている。仮係止突起４２の上下両側縁は、第１後方ガイド部４０の内側壁に前後方向に摺接するようになっている。また、端子収容部１３とフード部１１とが本係止位置に保持された状態では、ガイドピン４３は第２後方ガイド部４１の内部に嵌入されている。ガイドピン４３の上下両端部は、第２後方ガイド部４１の内側壁に前後方向に摺接するようになっている。
【００４６】
図７及び図８には、端子収容部１３とフード部１１とが仮係止位置に保持された状態を示す。図７に示すように、仮係止位置においては、フード部１１の本係止部２０は、端子収容部１３の本係止受け部２１よりも前方に位置しており、本係止受け部２１とは係止していない。上記した本係止受け部２１の前側には前傾する傾斜面４６が形成されている。本係止部２０が本係止受け部２１の傾斜面４６に前方から当接することにより、端子収容部１３が仮係止位置から前方に移動することが抑制されるようになっている。また、フード部１１のリテーナ部２８は端子収容部１３の撓み空間２４よりも前方に位置している。
【００４７】
図８に示すように、仮係止突起４２は、第１後方ガイド部４０の内側面から内方に突出して係止された一対の仮係止部４７，４７に前方から当接している。これにより、端子収容部１３が仮係止位置から後方に移動することが抑制されるようになっている。
【００４８】
図８に示すように、仮係止位置において、仮係止部４７は、本係止部２０と、前後方向について並ぶ位置に配されていない。換言すると、仮係止部４７は、本係止部２０に対して、上下方向（前後方向と交差する方向）についてずれた位置に配されている。
【００４９】
図９及び図１０には、端子収容部１３がガイド壁３９の後端部寄りの位置にまで移動した状態を示す。図１０に示すように、ガイドピン４３は、第２後方ガイド部４１の後端縁寄りの位置であって、誘い込み部４８の直前の位置にまで移動するようになっている。
【００５０】
図１１及び図１２には、端子収容部１３とフード部１１とがガイド壁３９の下端部よりの位置にまで移動した状態を示す。図１１に示すように、この状態においては、端子収容部１３はフード部１１に対して前後方向についてずれると共に、上下方向についてずれて配されている。換言すれば、端子収容部１３とフード部１１とは、前後方向についてオフセットされて配されている。端子収容部１３の治具挿入口２５は前方に開口されており、解除治具２６が前方から挿入可能になっている。図１１及び図１２に示された端子収容部１３とフード部１１との配置を、端子１２とランス２３との係止を解除する作業を実行する解除位置とする。
【００５１】
図１２に示すように、解除位置においては、仮係止突起４２は第１交差ガイド部４４の下端部に位置するようになっている。仮係止突起４２の前後両側縁は、第１交差ガイド部４４の内側壁に上下方向に摺接するようになっている。また、ガイドピン４３は、第２交差ガイド部４５に下端部に位置するようになっている。ガイドピン４３の前後両端部は、第２交差ガイド部４５の内側壁に上下方向に摺接するようになっている。
【００５２】
図１２に示すように、ガイドピン４３は、第２交差ガイド部４５の内側面から内方に突出して係止された一対の解除位置保持部４９，４９に下方から当接している。これにより、端子収容部１３が解除位置から上方に移動することが抑制されるようになっている。この結果、端子収容部１３とフード部１１とが解除位置に保持されるようになっている。
【００５３】
（本実施形態の作用、効果）
続いて、本実施形態の作用、効果について説明する。まず、コネクタ１０の組み付け工程の一例について説明する。なお、コネクタ１０の組み付け工程は下記の説明に限定されない。
【００５４】
まず、フード部１１の後方から端子収容部１３を組み付ける。このとき、端子収容部１３の仮係止突起４２、及びガイドピン４３は、誘い込み部４８から、それぞれ、第１後方ガイド部４０、及び第２後方ガイド部４１の内部に進入する。更に端子収容部１３を前方に押圧して、端子収容部１３とフード部１１とを仮係止位置に保持する。続いて、端子収容部１３のキャビティ２２内に後方から、電線２９の端末に取り付けられた端子１２を挿入する。仮係止位置においては、リテーナ部２８は撓み空間２４内に進入していないので、ランス２３は弾性変形可能になっている。このため、ランス２３が筒部３５に当接して撓み空間２４内に弾性変形する。更に端子１２を前方に挿入すると、ランス２３は、復帰変形して係止孔３６の孔縁に後方から当接する。また、ゴム栓３４の外周面がキャビティ２２の内周面と密着することにより、ゴム栓３４と端子収容部１３とがシールされる。一方、端子１２の雄タブ１４は貫通孔１５内に後方から挿通されて、フード部１１内に突出する。
【００５５】
続いて、端子収容部１３を前方に押圧する。すると、本係止部２０が本係止受け部２１に乗り上げて弾性変形する。更に端子収容部１３を押圧すると、本係止部２０が復帰変形し、本係止受け部２１に対して後方から当接する。これにより、端子収容部１３とフード部１１とが本係止位置に保持される。本係止位置においては、フード部１１のリテーナ部２８が撓み空間２４内に進入して端子１２をランス２３と共に二重係止する。また、端子収容部１３のシール突部２７がシール部材１８に当接することにより各キャビティ２２内が個別にシールされる。以上によりコネクタ１０が完成する。
【００５６】
各キャビティ２２が個別にシールされることにより、防水性が必要とされるキャビティ２２のみを防水し、防水性が不要なキャビティ２２に対しては防水構造を施さないことができる。この結果、全てのキャビティ２２に防水構造を設ける場合に比べて、コストダウンを図ることができる。このような構成は、コネクタ１０ハウジング内に、例えば、芯線３０が銅製の電線２９に接続された端子１２と、芯線３０がアルミニウム製の電線２９に接続された端子１２とが配設される場合に特に有効である。この場合、芯線３０がアルミニウム製の電線２９に接続された端子１２のみに防水構造を施すことにより、アルミニウム製の芯線３０の電食を抑制することができる。
【００５７】
次に、例えば、メンテナンスなどの理由により端子１２を端子収容部１３から取り外す工程について説明する。まず、本係止部２０を上下方向に拡開変形させて、本係止部２０と本係止受け部２１との係止を解除する。次いで、端子収容部１３を後方に引っ張る。すると、仮係止突起４２が前方から仮係止部４７に当接することにより、端子収容部１３とフード部１１とが仮係止位置に保持される（図７及び図８参照）。
【００５８】
更に、端子収容部１３を後方に引っ張ると、仮係止突起４２が仮係止部４７を乗り越えて後方に移動する。このとき、仮係止突起４２が第１後方ガイド部４０によって前後方向に案内されると共に、ガイドピン４３が第２後方ガイド部４１によって前後方向に案内されることにより、端子収容部１３はフード部１１に対して後方にまっすぐ引き抜かれる。これにより、端子１２が貫通孔１５と干渉することが抑制されるので、端子１２が変形する等の不具合を抑制することができる。
【００５９】
その後、端子収容部１３を、ガイドピン４３が第２後方ガイド部４１の最後部に至るまで後方に引っ張り（図９及び図１０参照）、続いて、端子収容部１３を下方に移動させ、ガイドピン４３が第２交差ガイド部４５の下端部に至るまで端子収容部１３を下方に移動させる。ガイドピン４３が解除位置保持部４９を乗り越えて第２交差ガイド部４５の下端部にまで至ると、ガイドピン４３が解除位置保持部４９に下方から当接することにより、端子収容部１３とフード部１１とが解除位置に保持される。
【００６０】
端子収容部１３とフード部１１とが解除位置に保持された状態で、治具挿入口２５から解除治具２６を挿入し、解除治具２６によってランス２３と端子１２との係止を解除する。次いで、端子１２をキャビティ２２から後方に引き抜くことにより、端子１２の取り外し作業が完了する。
【００６１】
本実施形態によれば、端子収容部１３を第１後方ガイド部４０、及び第２後方ガイド部４１に沿って、端子１２のフード部１１への貫通方向（前後方向）について後方に移動させた後、第１交差ガイド部４４、及び第２交差ガイド部４５に沿って端子１２の貫通方向と交差する方向に移動させることにより、端子収容部１３の治具挿入口２５を、フード部１１に対して、端子１２の貫通方向についてオフセットされた位置に配することができる。これにより、解除治具２６がフード部１１に干渉することを抑制できるので、治具挿入口２５から容易に解除治具２６を挿入して、ランス２３と端子１２との係止を解除させることができる。この結果、端子１２をコネクタ１０から離脱させる作業の効率を向上させることができる。
【００６２】
また、本実施形態によれば、第２交差ガイド部４５には、解除治具２６によって端子１２とランス２３との係止を解除する解除作業を行う解除位置で端子収容部１３とフード部１１とを保持する解除位置保持部４９が設けられている。これにより、端子収容部１３が解除位置に保持された状態で、端子１２とランス２３との解除作業を行うことができる。これにより、解除作業の効率を向上させることができる。
【００６３】
また、本実施形態によれば、第１後方ガイド部４０、及び第２後方ガイド部４１はガイド壁３９に貫通方向の後方に延びる溝状に形成されており、端子収容部１３には各後方ガイド部４０，４１内にそれぞれ嵌入する仮係止部４７、及びガイドピン４３が突出されている。これにより、溝状に形成された第１後方ガイド部４０、及び第２後方ガイド部４１の内部に、それぞれ、仮係止部４７、及びガイドピン４３が嵌入するという簡易な構成により、端子収容部１３を貫通方向の後方にガイドすることができる。
【００６４】
また、本実施形態によれば、第１交差ガイド部４４、及び第２交差ガイド部４５は、ガイド壁３９に交差方向に延びる溝状に形成されており、端子収容部１３には各交差ガイド部４４，４５内に嵌入する仮係止部４７、及びガイドピン４３が突出されている。これにより、溝状に形成された第１交差ガイド部４４、及び第２交差ガイド部４５の内部に、それぞれ、仮係止部４７、及びガイドピン４３が嵌入するという簡易な構成により、端子収容部１３を貫通方向と交差する方向にガイドすることができる。
【００６５】
また、本実施形態によれば、第１交差ガイド部４４、及び第２交差ガイド部４５は、端子１２のフード部１１への貫通方向に直交する方向（下方）に延びて形成されている。これにより、交差ガイド部を貫通方向について傾斜した方向に延びて形成する場合に比べて、貫通方向についてコネクタ１０を全体として小型化することができる。
【００６６】
また、本実施形態によれば、フード部１１のガイド壁３９には、端子収容部１３に端子１２を係止する係止作業を行う仮係止位置で端子収容部１３とフード部１１とを保持する仮係止部４７が設けられており、フード部１１には、端子収容部１３とフード部１１とを本係止位置で保持する本係止部２０が設けられている。これにより、端子１２の端子収容部１３への係止作業を行う作業現場に、端子収容部１３とフード部１１とを仮係止した状態で移送することができる。この結果、端子収容部１３とフード部１１とが別体の状態で係止作業の作業現場に移送される場合に比べて、移送コストを削減することができる。
【００６７】
上記した本係止部２０と仮係止部４７とが前後方向について並んで形成されている場合、本係止部２０における端子収容部１３とフード部１１との係止を解除して端子収容部１３を後方に移動させた際に、誤って仮係止部４７における端子収容部１３とフード部１１との仮係止をも解除してしまうおそれがある。すると、フード部１１から端子１２が引き抜かれるときに、貫通方向に対して端子収容部１３が斜めに引き抜かれることによって端子収容部１３とフード部１１とが相対的に傾いた姿勢になってしまい、端子１２がフード部１１と干渉することが懸念される。すると、端子１２が変形する等の不具合が発生することが懸念される。
【００６８】
上記の点に鑑み、本実施形態においては、仮係止部４７と本係止部２０とは、前後方向と交差する方向についてずれた位置に設けられている。これにより、本係止部２０における端子収容部１３とフード部１１との係止を解除して端子収容部１３を後方に移動させる際に、仮係止部４７によって、端子収容部１３を仮係止位置に確実に保持することができる。この結果、端子収容部１３とフード部１１との本係止が解除された後、端子収容部１３をまっすく後方に引き抜いて確実に仮係止位置に保持し、その後、仮係止部４７の仮係止を解除して、さらにまっすぐ後方に引く抜くことができる。これにより、貫通方向に対して、端子収容部１３とフード部１１とが相対的に傾いた姿勢をとることを抑制できるので、端子１２が変形することを抑制することができる。
【００６９】
また、本実施形態によれば、仮係止部４７は、第１後方ガイド部４０に設けられている。これにより、本係止部２０における端子収容部１３とフード部１１との係止を解除して端子収容部１３を後方に移動させた際に、端子収容部１３を確実に仮係止位置に保持することができる。これにより、端子収容部１３を後方に引き抜く際に、端子１２とフード部１１とが干渉することを抑制できるので、端子１２が変形することを確実に抑制することができる。
【００７０】
＜実施形態２＞
次に、本発明の実施形態２を、図１３ないし図２３を参照しつつ説明する。図１３及び図１４に示すように、本実施形態に係る一対のガイド壁６０，６０は、本係止位置に保持された端子収容部１３の後端部よりも後方に延出されている。また、延出壁は、図１５に示すように、前後方向について概ね後ろ半分が、下方に膨出された形態とされている。
【００７１】
図１５に示すように、ガイド壁６０の内面には、ガイド壁６０の前端部から後方に延びる溝状をなす第１後方ガイド部４０（後方ガイド部に相当）が形成されている。更に、ガイド部の内面には、この第１後方ガイド部６１の下方の位置に間隔を空けて、第１後方ガイド部６１と平行に延びる溝状をなす第２後方ガイド部４１（後方ガイド部に相当）が形成されている。
【００７２】
第１後方ガイド部６１は、ガイド壁６０の前端部から、前後方向についてガイド壁６０の略二分の一の長さまで延びている。第２後方ガイド部６２の後端部は、第１後方ガイド部６１の後端部からやや後方の位置にまで延びている。第１後方ガイド部６１、及び第２後方ガイド部６２の後端部は、ガイド壁６０の後端縁に開口しており、後述する仮係止突起４２、及びガイドピン４３を、それぞれ第１後方ガイド部６１、及び第２後方ガイド部６２の内部に誘導する誘い込み部６３とされている。
【００７３】
ガイド壁６０の内面には、第１後方ガイド部６１の後端部と、第２後方ガイド部６２の後端縁を連結して斜め後ろ下方（前後方向について交差する方向）に延びる交差ガイド部６４が形成されている。交差ガイド部６４はガイド壁６０の内面に溝状に形成されている。
【００７４】
図１６に示すように、端子収容部１３がフード部１１に対して本係止位置に保持された状態では、仮係止突起４２は第１後方ガイド部６１の内部に嵌入されている。仮係止突起４２の上下両側縁は、第１後方ガイド部６１の内側壁に前後方向に摺接するようになっている。また、端子収容部１３とフード部１１とが本係止位置に保持された状態では、ガイドピン４３は第２後方ガイド部６２の内部に嵌入されている。ガイドピン４３の上下両端部は、第２後方ガイド部６２の内側壁に前後方向に摺接するようになっている。
【００７５】
図１７及び図１８に示すように、端子収容部１３がフード部１１に対して仮係止位置に保持された状態では、本係止部２０が本係止受け部２１の傾斜面４６に前方から当接することにより、端子収容部１３が仮係止位置から前方に移動することが抑制されるようになっている。また、仮係止突起４２は、第１後方ガイド部６１の内側面から内方に突出して係止された一対の仮係止部４７に前方から当接している。これにより、端子収容部１３が仮係止位置から後方に移動することが抑制されるようになっている。
【００７６】
図１９及び図２０には、仮係止突起４２が第１後方ガイド部６１の後端部にまで至ると共に、ガイドピン４３が第２後方ガイド部６２の後端部にまで至った状態を示す。仮係止突起４２、及びガイドピン４３は、誘い込み部６３の誘い込み部６３の直前の位置にまで移動するようになっている。
【００７７】
図２０に示すように、交差ガイド部６４は、仮係止突起４２とガイドピン４３とが並ぶ方向に沿って延びて形成されている。これにより、交差ガイド部６４の内部には、仮係止時とガイドピン４３の双方が嵌入するようになっている。
【００７８】
図２１及び図２２には、端子収容部１３とフード部１１とが解除位置に保持された状態を示す。図２１に示すように、この状態においては、端子収容部１３はフード部１１に対して前後方向についてずれると共に、上下方向についてずれて配されている。換言すれば、端子収容部１３とフード部１１とは、前後方向についてオフセットされて配されている。
【００７９】
図２２に示すように、解除位置においては、ガイドピン４３は交差ガイド部６４の下端部に位置するようになっている。ガイドピン４３は、交差ガイド部６４の内側面から内方に突出して係止された一対の解除位置保持部６５，６５に斜め後ろ下方から当接している。これにより、端子収容部１３が解除位置仮係止位置から斜め前上方に移動することが抑制されるようになっている。
【００８０】
上記以外の構成については、実施形態１と略同様なので、同一部材については同一符号を付し、重複する説明を省略する。
【００８１】
本実施形態によれば、１つの交差ガイド部６４により、端子収容部１３をフード部１１に対して前後方向にオフセットされた位置に移動させることができる。
【００８２】
＜他の実施形態＞
本発明は上記記述及び図面によって説明した実施形態に限定されるものではなく、例えば次のような実施形態も本発明の技術的範囲に含まれる。
（１）本実施形態においては、端子１２は雄タブ１４を有する雄端子としたが、これに限られず、接続筒部を有する雌端子としてもよい。
【００８３】
（２）本実施形態においては、後方ガイド部はガイド壁３９，６０に溝状に形成される構成としたが、これに限られず、ガイド壁３９，６０に貫通方向後方に延びて形成されると共に端子収容部１３に向かって突出した後方ガイドリブとしてもよい。
【００８４】
（３）本実施形態においては、交差ガイド部はガイド壁３９，６０に溝状に形成される構成としたが、これに限られず、ガイド壁３９，６０に交差方向に延びて形成されると共に端子収容部１３に向かって突出した交差ガイドリブとしてもよい。
【００８５】
（４）解除位置保持部４９は端子収容部１３に設けてもよい。また、解除位置保持部４９は省略してもよい。
【００８６】
（５）仮係止部４７は端子収容部１３に設けてもよい。また、仮係止部４７は省略してもよい。
【００８７】
（６）本実施形態においては、本係止部２０と仮係止部４７とは、貫通方向について前後方向にずれた位置に配される構成としたが、これに限られず、本係止部２０と仮係止部４７とは、貫通方向について前後方向に並んで形成される構成としてもよい。
【００８８】
（７）本実施形態においては、第１交差ガイド部４４、及び第２交差ガイド部４５は下方に延びて係止される構成としたが、これに限られず、交差ガイド部は上方に延びて形成される構成としてもよい。
【００８９】
（８）本実施形態においては、後方ガイド部として、第１後方ガイド部６１、及び第２後方ガイド部６２が形成される構成としたが、これに限られず、後方ガイド部は、１つ形成される構成としてもよく、また、３つ以上形成される構成としてもよい。
【００９０】
（９）第１実施形態においては、交差ガイド部として、第１交差ガイド部４４、及び第２交差ガイド部４５が形成される構成とされており、第２実施形態においては、１つの交差ガイド部６４が形成される構成したが、これに限られず、交差ガイド部は、３つ以上形成される構成としてもよい。
【００９１】
（１０）上記実施形態では端子収容部１３の内部に設けた樹脂製のランス２３によって端子１２を端子収容部１３の内部に保持させる構成としたが、これに限られず、端子１２に設けた金属ランスによって端子１２が端子収容部１３の内部に保持される構成としてもよい。
【００９２】
（１１）本実施形態に係るコネクタ１０は各キャビティ２２が個別にシールされる構成とされたが、これに限られず、複数のキャビティが一括して防水されるコネクタとしてもよく、また、防水構造を有しないコネクタとしてもよい。
【符号の説明】
【００９３】
１０...コネクタ
１１...フード部
１２...端子
１３...端子収容部
２０...本係止部
２３...ランス
２５...治具挿入口
２６...解除治具
３９...ガイド壁
４０，６１...第１後方ガイド部（後方ガイド部）
４１...第２後方ガイド部（後方ガイド部）
４４...第１交差ガイド部（交差ガイド部）
４５...第２交差ガイド部（交差ガイド部）
４７...仮係止部
４９...解除位置保持部
６４...交差ガイド部
【図１】
2014044801.tif 000003
【図２】
2014044801.tif 000004
【図３】
2014044801.tif 000005
【図４】
2014044801.tif 000006
【図５】
2014044801.tif 000007
【図６】
2014044801.tif 000008
【図７】
2014044801.tif 000009
【図８】
2014044801.tif 000010
【図９】
2014044801.tif 000011
【図１０】
2014044801.tif 000012
【図１１】
2014044801.tif 000013
【図１２】
2014044801.tif 000014
【図１３】
2014044801.tif 000015
【図１４】
2014044801.tif 000016
【図１５】
2014044801.tif 000017
【図１６】
2014044801.tif 000018
【図１７】
2014044801.tif 000019
【図１８】
2014044801.tif 000020
【図１９】
2014044801.tif 000021
【図２０】
2014044801.tif 000022
【図２１】
2014044801.tif 000023
【図２２】
2014044801.tif 000024